(57)【要約】【課題】屋根勾配が急な折板屋根であっても、折板に簡単に固定させることができ、大型の軒樋にも対応可能な軒樋吊り金具を提供すること。【解決手段】軒樋吊り金具１００は、両端で軒樋２の耳縁２ａ、２ｂに係合して軒樋２を吊持する帯状の支持本体部６と、帯状の鋼板を屈曲した固定部８と螺軸７とから構成される。固定部８は、互いが重なり合う第１辺部８ａと第２辺部８ｂと、第２辺部８ｃから折り曲げられ第２辺部８ｂとなす角度が取り付けられるべき屋根勾配の角度に対応する第３辺部８ｃとを有し、第１辺部８ａには第１透孔ｆ１が設けられ、その正対する第２辺部８ｂの位置には下孔ｆ２が設けられている。螺軸７は、固定部８を支持本体部６に固定する。折板屋根の折板1の前端部を第１辺部８ａと第２辺部８ｂとで挟み、第１透孔ｆ１からタッピングネジ１３を螺合することにより、タッピングネジ１３が下孔ｆ２に雌ネジを形成しつつ螺合する。【選択図】図１
2015048680.tif 000002
【特許請求の範囲】
【請求項１】
両端で軒樋の耳縁に係合して該軒樋を吊持する帯状の支持本体部と、
帯状の鋼板を屈曲した固定部であって、互いが重なり合う第１辺部と第２辺部と、前記第２辺部から折り曲げられ前記第２辺部となす角度が取り付けられるべき屋根勾配の角度に対応する第３辺部とを有し、前記第１辺部には第１透孔が設けられ、前記第１辺部に正対する前記第２辺部の位置には下孔が設けられた固定部と
前記固定部を前記支持本体部に固定する螺軸とを有し、
折板屋根の折板の前端部を前記第１辺部と第２辺部とで挟み、前記第１透孔からタッピングネジを螺合することにより、タッピングネジが前記下孔に雌ネジを形成しつつ螺合することを特徴とする軒樋吊り金具。
【請求項２】
前記第１辺部は、前記第２辺部よりも張り出した張出部を有し、該張出部に前記第１辺部及び前記折板を結合させるためのボルトを挿通される第２透孔を形成されていることを特徴とする請求項１記載の軒樋吊り金具。
【請求項３】
前記螺軸が前記軒樋の重心の直上に位置し、前記第１透孔が前記螺軸の鉛直線上付近に設けられていることを特徴とする請求項１記載の軒樋吊り金具。
【発明の詳細な説明】
【技術分野】
【０００１】
本発明は、折板屋根の軒先に配置される軒樋を支持する軒樋吊り金具に関する。
【背景技術】
【０００２】
図４は、従来の軒樋吊り金具３による軒樋２の施工例を示している。図４Ａは、工場等に良く利用される折板１ａの使用された折板屋根１において、軒樋２が軒樋吊り金具３により吊り支持された従来例である。折板屋根１の屋根勾配（＝ｔａｎθ１、ここにθ１は屋根傾斜角）は一般に１００分の３程度である。なお、図４中、イは屋根受け用のＣ型鋼、ロは外壁パネル、ハは外壁パネルロを結合するＣ型鋼であり、以下、各図において対応する部材に同一の符号を付す。
【０００３】
一方、図４Ｂ及び図４Ｃは波形スレート４ａの使用されたスレート屋根４において軒樋２が軒樋吊り金具３又は軒樋受け金具５により支持された従来例を示している。スレート屋根４の屋根勾配（＝ｔａｎθ２、ここにθ２は屋根傾斜角）は一般に１０分の３程度である。このタイプの金具は、軒樋２を片持ち状態で支持するため、軒樋や雨水の重さで軒樋が傾くため、大型の軒樋には向かない。
【０００４】
長期に亘って使用された図４Ｂ又は図４Ｃに示すようなスレート屋根４を改修する場合、スレート屋根４を撤去するのではなく、スレート屋根４を形成していた波形スレート４ａの上面に折板１ａを重ね合わせる改修工法がある。図３はこのような改修工法によって改修されたスレート屋根４を示している。この改修工法によれば、改修途中でスレート屋根４が除去された際に、雨ざらしになることを避けられ、また廃棄物の量も減らせるというメリットがある。
【０００５】
この改修済み屋根１に軒樋２を設置する場合、図４Ａに示す既存の軒樋吊り金具３では軒樋２を折板１ａに対し安定的に吊り支持できない。屋根勾配が１０分の３程度と急峻になっているからである。
【０００６】
特許文献１には、屋根勾配が１００分の３程度である一般的な折板屋根における軒樋を吊り支持する軒樋吊り金具が開示されている。この軒樋吊り金具はそのままの使用では折板の前端部に固定される軒先固定具Ａの曲がり角度では、図３に示す改修済み屋根のように屋根勾配が１０分の３程度である折板屋根における軒樋を適正姿勢に支持することはできない。さらに、軒先固定具Ａの曲がり角度を調整したとしても、片持ち状態で軒樋を吊り支持するため、大型の軒樋を保持する上で不利である。
【０００７】
特許文献２には、傾斜面に形成されたワッシャーを介して屋根勾配に対応している。折板屋根に金具を取り付ける際の部品点数が多くなり、作業に時間を要する点で不利である。尚、特許文献２においては、螺軸杆（図４Ａの符号３ａに相当）を無理やり曲げて、屋根勾配に対応する例も開示しているが、作業性が悪い。
【先行技術文献】
【特許文献】
【０００８】
【特許文献１】実開昭６２−１３７９３８号公報
【特許文献２】特開２００１−４９８１３号公報
【発明の概要】
【発明が解決しようとする課題】
【０００９】
本発明は、屋根勾配が急な折板屋根であっても、折板に簡単に固定させることができ、大型の軒樋にも対応可能な軒樋吊り金具を提供することを目的としている。
【課題を解決するための手段】
【００１０】
上記目的を達成するため、本発明に係る軒樋吊り金具は、両端で軒樋の耳縁に係合して該軒樋を吊持する帯状の支持本体部と、帯状の鋼板を屈曲した固定部であって、互いが重なり合う第１辺部と第２辺部と、前記第２辺部から折り曲げられ前記第２辺部となす角度が取り付けられるべき屋根勾配の角度に対応する第３辺部とを有し、前記第１辺部には第１透孔が設けられ、前記第１辺部に正対する前記第２辺部の位置には下孔が設けられた固定部と前記固定部を前記支持本体部に固定する螺軸とを有し、折板屋根の折板の前端部を前記第１辺部と第２辺部とで挟み、前記第１透孔からタッピングネジを螺合することにより、タッピングネジが前記下孔に雌ネジを形成しつつ螺合することを特徴とする。
【発明の効果】
【００１１】
本発明によれば、タッピングネジに回転力及び押力を付与するという簡易な作業を行うことで、第１辺部及び第２辺部とにより、これらの間に位置された折板を、迅速にかつ挟み込み強固に固定することが可能となる。
【図面の簡単な説明】
【００１２】
【図１】本発明の一実施例である軒樋吊り金具の斜視図である。
【図２】軒樋吊り金具の使用例を示す側面視断面図である。
【図３】スレート屋根を改修した屋根の斜視図である。
【図４】従来の軒樋吊り金具と吊り金具を示す図である。
【図５】他の実施例を示す図である。
【発明を実施するための形態】
【実施例１】
【００１３】
図１において、実施例の軒樋吊り金具１００は、帯状の支持本体部６、固定部８、固定部８を支持本体部６に固定する螺軸７からなっている。螺軸７は支持本体部６と垂直に交差し、支持本体部６の長さ方向中央付近で、位置調整可能に固定されるものであって、支持本体部６の中央辺部ｂ１に設けられ、その長さ方向に長い透孔６ｃに挿通される。螺軸７としては、少なくとも片側に雄螺子が設けられたねじ軸や棒螺子、又はボルトが利用できる。螺軸７は、ワッシャー１２ａ、１２ｂをはさんで一対のナット１１ａ、１１ｂにより中央辺部ｂ１に螺合されことにより、鉛直向きに支持本体部６に立設される。
【００１４】
固定部８は、帯状の鋼板を屈曲することにより一体状に成形されており、互い折り重ね合わされた第１辺部８ａと第２辺部８ｂと、第２辺部８ｂから屈曲され鉛直向きの第３辺部８ｃからなる。また第１辺部８ａは第２辺部８ｂの後端から張り出した張出部ｅ２を有する。第３辺部８ｃは、螺軸７の上側の側面に、螺軸７の直上に第１辺部８ａと第２辺部８ｂが重ね合わされた箇所が来るように溶接されている。第２辺部８ｂと第３辺部８ｃとがなす角度は、取り付けられる屋根勾配の角度に対応して決められており、屋根に取り付けたとき第３辺部８ｃが鉛直方向となる角度になっている。
【００１５】
第１辺部８ａのうち、螺軸７の軸線上であって第２辺部８ｂの真上となる範囲内にタッピングネジ１３の遊挿される第１透孔ｆ１が形成されている。そして第２辺部８ｂのうち透孔ｆ１と正対する位置にはタッピングネジ１３のねじ谷直径以下の直径であるネジ成形用下孔ｆ２が形成されている。また第１辺部８ａの張出部ｅ２には他のボルト１４（図２）の遊挿される第２透孔ｆ３が形成されている。
【００１６】
支持本体部６の両端は、固定されるべき軒樋の形態に応じて様々な形状を取りうるものである。実施例に例示されている支持本体部６の一端（符号６ｂ側）においては、中央辺部ｂ１から斜めに延出された傾斜部ｂ２と、この傾斜部ｂ２から中央辺部ｂ１と平行に延出された辺部ｂ３と、辺部ｂ３の前端を斜めに延出された係合爪部ｂ４とを有している。
【００１７】
一方、支持本体部６の他端（符号６ｂ側）は、中央辺部ｂ１から斜めに延出された傾斜部ｂ５と、傾斜部ｂ５から中央辺部ｂ１と平行に延出された辺部ｂ６と、この辺部ｂ６から傾斜部ｂ５と反対側に延出された垂下辺部ｂ７と、この垂下辺部ｂ７の下端を中央辺部ｂ１側に延出された段部ｂ８と、この段部ｂ８の前端を垂下辺部ｂ７と平行に延出された垂下辺部ｂ９とを有している。さらに、中央辺部ｂ１の後部から延出された弾性板９が溶接により固定されている。この弾性板９は起立面部９ａを有し、この起立面部９ａの少なくとも一部が段部ｂ８の上面より上方に位置され、この起立面部９ａと垂下辺部ｂ９との間には隙間ｄ１が形成されている。
【００１８】
図２には、支持本体部６の両端が軒樋２の耳縁に係合する2つの例が示されており、図２Ａでは、軒樋２の耳縁２ａの方がより耳縁２bよりも高く形成されている。一方、図２Ｂにおいては、両側の耳縁２ａ、２ｂの形態は対象形となっている。支持本体部６は、軒樋２の前後側の耳縁２ａ、２b間に橋渡しされる状態に配置され、一端を軒樋２の前側の耳縁２ａを係合し、他端を軒樋２の後側の耳縁２ｂを係合して、軒樋２を吊持する。
【００１９】
図２Ａの軒樋２において、軒樋２の耳縁２ａの中に支持本体部６の係合爪部ｂ４を差込み位置保持する。一方、軒樋２の耳縁２ｂに対して、傾斜部ｂ５、辺部ｂ６、垂下辺部ｂ７、段部ｂ８及び弾性板９により囲まれた領域ｄ２から耳縁２ｂが、弾性板９を押しのけて挿入される。弾性板９が復帰することにより軒樋２の脱落は防止される。
【００２０】
図２Ｂの軒樋２に対しては、支持本体部６は、その一端において、傾斜部ｂ２と、辺部ｂ３と、係合爪部ｂ４に代えて、傾斜部ｂ５、辺部ｂ６、垂下辺部ｂ７、段部ｂ８及び弾性板９と同一の構成の傾斜部ｂ１０、辺部ｂ１１、垂下辺部ｂ１２、段部ｂ１３及び弾性板１５を有している。
【００２１】
図２を用いて、軒樋吊り金具１００を利用した軒樋２の設置について説明する。
まず折板屋根１における折板１ａの前端部のうちスレート４ａと重なっていない先端部を第１辺部８ａと第２辺部８ｂとの間に位置させるように固定部８を折板１ａの前端部の前側から係合させる。
【００２２】
次に、タッピングネジ１３を第１透孔ｆ１に嵌挿させ、この後、電動ドライバーなどによりタッピングネジ１３に押力及び回転力を付与する。これによりタッピングネジ１３は折板１ａの前端部に孔を形成し、続いて第２辺部８ｂのネジ成形用下孔ｆ２の内周面に雌ネジを形成して、この雌ネジに螺合して第１辺部８ａ、折板１ａの前端部、及び第２辺部８ｂを一体状に結合した状態となる。これにより軒樋吊り金具１００は折板１ａの先端部に固定された状態となる。
【００２３】
なお、このようなタッピングネジ１３によるネジ形成用下孔ｆ２へのネジ切りなどに失敗したときは、第２透孔ｆ３の位置に第１辺部８ａと折板１ａを貫通する貫通孔を穿孔し、ボルト１４を折板１ａの下側からナットで締結する。これにより軒樋吊り金具１００は折板１ａの先端部に固定された状態となる。
【００２４】
上記のような処理を繰り返して必要数の軒樋吊り金具１００を折板１ａに取り付け、次に、軒樋２を取り付ける。そして、それぞれの軒樋吊り金具１００において一対のナット１１ａ、１１ｂを操作することにより、支持本体部６及び縦向き螺軸７の前後及び上下方向の相対配置を適正化させるように調整する。
【００２５】
軒樋２の重心の真上に螺軸７が鉛直に伸びた配置であれば、軒樋２が自重により傾くことが避けられる。タッピングネジ１３は螺軸７の延長線上の近傍の位置で、第１辺部８ａと第２辺部８ｂとにより折板１ａを挟み込んで固定する。挟み込んで固定することにより、強い固定力が得られる。また、タッピングネジ１３は螺軸７の延長線上の近傍の位置で固定するため、軒樋吊り金具１００は、軒樋２の重量を垂直に支えた上で、その直上付近で折板１ａに固定することができ、軒樋吊り金具１００自体の曲がり変形も発生し難くなる。
【００２６】
上記実施例においては、第３辺部８ｃを螺軸７の上側の側面に溶接して接続したが、螺軸７の直系方向に貫通孔を穿孔して、第３辺部８ｃを螺軸７側面にボルトで固定しても良い。
【実施例２】
【００２７】
実施例２の軒樋吊り金具２００は、実施例１における螺軸７と固定部８を、夫々螺軸７０と固定部８０に変更したものである。実施例２は、屈曲した帯状の鋼板からなる固定部８０の第３辺部８ｃは実施例１よりも長くかつ、さらにＬ字状に曲げられて第４辺部８０ｄが設けられている。第４辺部８０ｄには、螺軸７０が貫通する孔が設けられており、螺軸７０及びナット１１ｂ、ワッシャー１２ａ、１２ｂを用いて、支持本体部６に設けられた透孔６ｃに固定されている。ここにおいて、螺軸７０として有頭ボルトを用いたので、実施例１におけるナット１１ａは不要である。図において、固定部８と同じ固定部８０の箇所は、同一符号が付してある。本実施例２においても、軒樋２の重心の真上に螺軸７０が存在し、第１透孔ｆ１の位置は螺軸７の延長線上の近傍の位置である。
【００２８】
実施例２の軒樋吊り金具２００によれば、螺軸７０と固定部８０の接続により、螺軸７０と支持本体部６の接続を兼ねることができるという効果がある。
【符号の説明】
【００２９】
１  折板屋根
１ａ  折板
２  軒樋
２ａ、２ｂ  耳縁
６  支持本体部
７  螺軸
８  固定部
８ａ  第１辺部
８ｂ  第２辺部
１３  タッピングネジ
【図１】
2015048680.tif 000003
【図２】
2015048680.tif 000004
【図３】
2015048680.tif 000005
【図４】
2015048680.tif 000006
【図５】
2015048680.tif 000007